(57)【特許請求の範囲】
【請求項１】
径大な集水親管の両側面に、複数の小径集水枝管が、接続用継手を介在させて、水平方向に突出するように連通接続される集水管の水中接続方法において、
前記接続用継手は、一対の上，下継手ピースから構成され、
前記上 ，下継手ピースは、大径半筒部と、この大径半筒部の側面に突設された小径半筒部と、これらの半筒部の周縁に延設された接合フランジ部とを有し、
前記上継手ピースの前記小径半筒部は、当該上継手ピースから分離可能に構成され、
前記一対の上，下継手ピースは、前記接合フランジ部を相互に接合した際に、前記大径半筒部が前記集水親管の挿通可能な大径筒部となるとともに、
前記小径半筒部が前記集水枝管の挿入可能な小径筒部となるものであって、
前記下継手ピースを水底上に設置した状態で、前記大径半筒部上に一対の前記集水親管を突合わせて載置するとともに、前記小径半筒部上に前記集水枝管の端部を載置し、この後に、前記小径半筒部を分離した前記上継手ピースの前記大径半筒部を前記集水親管の上部に被せて、前記接合フランジ部を締結した後に、分離した前記小径半筒部を前記集水枝管の上部に被せて接着することを特徴とする集水管の水中接続方法。
【請求項２】
前記継手ピースは、一対の前記小径半筒部が対向するようにして前記大径半筒部の側面に突設配置されていることを特徴とする請求項１記載の集水管の水中接続方法。
【発明の詳細な説明】
【０００１】
【発明の属する技術分野】
この発明は、海水淡水化施設などに用いる集水管の水中接続方法に関するものである。
【０００２】
【従来の技術】
海水淡水化施設などでは、水底地盤中に集水管を埋設設置して、この集水管を介して海水が取入れられる。このような集水管は、通常、大径な集水親管と、多数の小径集水枝管とを備え、集水親管の両側面に複数の集水枝管が、集水親管の長手軸と直交するように、水平方向に突設した形状になっている。
【０００３】
このような集水管を水底上に設置する際には、従来、図８，９に示すような方法により水中で接続されていた。同図においては、１が大径な集水親管であり、２が小径な集水枝管である。
【０００４】
集水親管１の両側面には、予め集水枝管２の端部が溶着接続されており、水中において、集水親管１の端部同士を筒状継手３の両端から挿入して、相互に突き当たるようにして接続するとともに、集水枝管２も同様に筒状継手４を用いて接続している。
【０００５】
しかしながら、このような従来の集水管の水中接続方法には、以下に説明する課題があった。
【０００６】
【発明が解決しようとする課題】
すなわち、図８，９に示した従来の水中接続方法では、集水親管１と集水枝管２との接続が、単一管体同士での接続であり、その全ての接続個所に筒状継手３，４を用いる方法なので、接続個所が多く、このような接続作業が潜水夫により行われるので、能率が悪く、工期が長くなり、工費も嵩むという問題があった。
【０００７】
本発明は、このような従来の問題点に鑑みてなされたものであって、その目的とするところは、接続個所を低減することにより、作業能率を改善して、工期の短縮と工費の低減を可能にする集水管の水中接続方法を提供することにある。
【０００８】
【課題を解決するための手段】
上記目的を達成するために、本発明は、径大な集水親管の両側面に、複数の小径集水枝管が、接続用継手を介在させて、水平方向に突出するように連通接続される集水管の水中接続方法において、前記接続用継手は、一対の上，下継手ピースから構成され、前記上，下継手ピースは、大径半筒部と、この大径半筒部の側面に突設された小径半筒部と、これらの半筒部の周縁に延設された接合フランジ部とを有し、前記上継手ピースの前記小径半筒部は、当該上継手ピースから分離可能に構成され、前記一対の上，下継手ピースは、前記接合フランジ部を相互に接合した際に、前記大径半筒部が前記集水親管の挿通可能な大径筒部となるとともに、前記小径半筒部が前記集水枝管の挿入可能な小径筒部となるものであって、前記下継手ピースを水底上に設置した状態で、前記大径半筒部上に一対の前記集水親管を突合わせて載置するとともに、前記小径半筒部上に前記集水枝管の端部を載置し、この後に、前記小径半筒部を分離した前記上継手ピースの前記大径半筒部を前記集水親管の上部に被せて、前記接合フランジ部を締結した後に、分離した前記小径半筒部を前記集水枝管の上部に被せて接着するようにした。
【０００９】
このように構成した集水管の水中接続方法によれば、一方の継手ピースを水底上に設置した状態で、大径半筒部上に一対の集水親管を突合わせて載置するとともに、小径半筒部上に集水枝管の端部を載置し、この後に、他方の継手ピースの大径半筒部を集水親管の上部に被せるとともに、小径半筒部を集水枝管の上部に被せて、接合フランジ部を締結するので、接続用継手で、一対の集水親管の接続と集水枝管の接続とを同時に行うことができる。
【００１０】
前記継手ピースには、一対の前記小径半筒部が対向するようにして前記大径半筒部の側面に突設配置することができる。
【００１１】
【発明の実施の形態】
以下、本発明の好適な実施の形態について、添付図面に基づいて詳細に説明する。図１から図６は、本発明にかかる集水管の水中接続方法において、接続対象となる集水管や接続用継手の基本構造および接続工程の基本的な内容を例示している。
【００１２】
接続対象となる集水管１０は、図１にその平面状態を示すように、ともに中空円形断面の集水親管１２と、多数の集水枝管１４とを備え、径大な集水親管１２の両側側面に、小径な複数の集水枝管１４が、水平方向に突出するように連通接続されている。
【００１３】
集水枝管１４は、集水親管１２の長手軸と、中心軸が直交するように延設され、かつ、集水親管１２の長手軸方向に所定の間隔を隔てて列状に配置されている。
【００１４】
集水管１０は、当該集水管１０の敷設個所の水底面１６を掘削して、敷き均した上に設置されていて、各集水枝管１４の下面に設置されるアンカー１８に緊縛固定されている。
【００１５】
図１に示した集水管１０は、集水親管１２の長手軸方向に沿って、実質的に同一構成の合計１０個の集水管群１０ａ〜１０ｊに分けられている。
【００１６】
各集水管群１０ａ〜１０ｊには、合計１２本の集水枝管１４が含まれていて、６本ずつが集水親管１２の側面に突設されている。集水親管１２と集水枝管１４との連通接続部分には、図２〜図４に示す接続用継手２０が設けられている。
【００１７】
これらの図に示した継手２０は、軸方向の中心で２分割された形態で、実質的に同一構成の一対の上，下継手ピース２２，２４を有している。
【００１８】
継手ピース２２，２４は、大径半筒部２２ａ，２４ａと、この大径半筒部２２ａ，２４ａの側面に突設された小径半筒部２２ｂ，２４ｂと、これらの半筒部の周縁に延設された接合フランジ部２２ｃ，２４ｃとを有している。
【００１９】
図示した例の場合には、大径半筒部２２ａ，２４ａの軸方向の中心に一対の小径半筒部２２ｂ，２４ｂが対向するように配置されていて、各小径半筒部２２ｂ，２４ｂは、一端側が大径半筒部２２ａ，２４ａの側面に一体化されて、側面から外方に突出するように形成されている。
【００２０】
一対の上，下継手ピース２２，２４は、図２に示すように、接合フランジ部２２ｃ，２４ｃを相互に接合した際に、大径半筒部２２ａ，２４ａ同士が連なって、両端が開口した円形断面の大径筒部Ａとなるものであって、この大径筒部Ａは、集水親管１２の挿通可能な内径を有している。
【００２１】
また、一対の上，下継手ピース２２，２４は、接合フランジ部２２ｃ，２４ｃを相互に接合した際には、各小径半筒部２２ｂ，２４ｂ同士が連なって、円形断面で外端側が開口した小径筒部Ｂとなるものであって、小径筒部Ｂは、集水枝管１４の挿入が可能な内径を有している。
【００２２】
以上のように構成した継手２０を使用して、集水親管１２同士の接続と、集水親管１２に対して、集水枝管１４を連通接続する際には、まず、図４に示すように、下継手ピース２２を水底上に設置する。
【００２３】
そして、この状態で、下継手ピース２４の大径半筒部２４ａ上に一対の集水親管１２を突合わせて載置する。なお、本実施例の継手２０で接続される集水親管１２の端部には、図４に仮想線で示すように半円状の孔１２ａが設けられている。
【００２４】
次に、下継手ピース２４の小径半筒部２４ｂ上に、一対の集水枝管１４の端部をそれぞれ載置し、この後に、上継手ピース２２の大径半筒部２２ａを集水親管１２の上部に被せるとともに、小径半筒部２２ｂを集水枝管１４の上部にそれぞれ被せて、上，下継手ピース２２，２４の接合フランジ部２２ｃ，２４ｃ同士を当接させて、両者間をボルトナットにより締結すると、接続が完了する。
【００２５】
この例の場合、各集水管群１０ａ〜１０ｊは、集水親管１２の端部同士が相互に隣接するように設置され、一対の集水親管１２の間に跨る接続桝３０ないしは接続ユニット３２を介して、連通接続させる。
【００２６】
図５にこの例で用いる接続桝３０の詳細を示しており、同図に示した接続桝３０は、両端が開口した円筒を中心軸上分断した半円状の上および下曲板３０ａ，３０ｂと、円筒状の点検筒３０ｃとを備えている。
【００２７】
上，下曲板３０ａ，３０ｂの内径は、集水親管１２の外径とほぼ同じになっている。点検筒３０ｃは、上曲板３０ａの外面に内部と連通するように固着されていて、集水親管１２に装着された状態では、垂直方向を指向するように設置される。
【００２８】
一対の集水親管１２同士を連通接続する際には、円弧面が上方を向くようにして下曲板３０ｂを水底面１６上に設置し、その内面側に集水親管１２の端面が当接するようにして載置させる。
【００２９】
そして、集水親管１２の上面側から上曲板３０ａを被せて、各曲板３０ａ，３０ｂのフランジ同士をボルトナットなどにより緊結すると、集水親管１２の連通接続が完了する。
【００３０】
なお、この接続桝３０を用いて接続される集水親管１２の端部には、点検筒３０ｃが内部に連通するような切欠が設けられている。
【００３１】
この例の場合には、接続桝３０は、６個用いられ、これ以外の集水親管１２同士の接続部分には、図６に示す接続ユニット３２が用いられる。同図に示した接続ユニット３２は、両端が開口した円筒を中心軸上分断した半円状の上および下曲板３２ａ，３２ｂを備えている。集水親管１２同士を接続する際の手順は、上述した接続桝３０と実質的に同じ手順で行われる。
【００３２】
さて、以上のようにして行われる集水管１０の水中接続方法によれば、一方の下継手ピース２４を水底上に設置した状態で、その大径半筒部２４ａ上に一対の集水親管１２を突合わせて載置するとともに、小径半筒部２４ｂ上に集水枝管１４の端部を載置し、この後に、他方の上継手ピース２２の大径半筒部２２ａを集水親管１２の上部に被せるとともに、小径半筒部２２ｂを集水枝管１４の上部に被せて、接合フランジ部２２ｃ，２４ｃを締結するので、接続用継手２０で、一対の集水親管１２の接続と集水枝管１４の接続とを同時に行うことができる。
【００３３】
すなわち、上述した接続方法によれば、図８，９に示した従来の接続方法で、３箇所の接続個所を２箇所にまとめることができ、しかも集水親管１２に対して、集水枝管１４の一部を溶着する必要もなくなり、その分だけ潜水夫の水中作業が軽減されて、施工能率も向上する。
【００３４】
また、水中で集水枝管１４を集水親管１２に接続する際に、下継手ピース２４に設けられた小径半筒部２４ｂが、集水枝管１４を装着する際の位置決めガイドとなるので、作業が容易に行え、作業時間の短縮も可能になり、工期的，品質的，コスト的にも有利なものとなる。
【００３５】
図７は、本発明にかかる集水管の水中接続方法の一実施例を示しており、上述した基本構成例と同一もしくは相当する部分に同一符号を付してその説明を省略するとともに、以下にその特徴点についてのみ説明する。
【００３６】
同図に示した実施例では、上述した例で示した継手２０の上継手ピース２２に工夫を加えたものであり、図７に示した上継手ピース２２'は、大径半筒部２２ａ'と小径半筒部２２ｂ'とを備えているが、小径半筒部２２ｂ'は、上継手ピース２２'から分離されている。
【００３７】
予め分離された小径半筒部２２ｂ'は、上継手ピース２４'と下継手ピース２２とを接合して、フランジ部同士を締結した後に、接着などにより集水枝管１４の表面側に装着される。
【００３８】
このような上継手ピース２２'を用いると、上述した例で得られる作用効果に加えて、集水枝管１４の装着状態を確認して、確実に接続を行うことができる。なお、上記実施例では、円形断面の管体同士の水中接続を例示したが、本発明の実施は、これに限定されることはなく、角形，多角形断面などの管体の水中接続にも適用することができる。
【００３９】
【発明の効果】
以上、詳細に説明したように、本発明にかかる集水管の水中接続方法によれば、接続個所を低減することにより、作業能率を改善して、工期の短縮と工費の低減が可能になる。
【図面の簡単な説明】
【図１】本発明にかかる水中接続方法が適用される集水管の敷設状態の上面図である。
【図２】本発明にかかる集水管の水中接続方法の接続完了状態の上面図である。
【図３】図２の側面図である。
【図４】本発明にかかる集水管の水中接続方法の接続工程の説明図である。
【図５】図１に示した集水管の集水管群間の接続に用いる接続桝の平面図と断面図である。
【図６】図１に示した集水管の集水管群間の接続に用いる接続ユニットの平面図と断面図である。
【図７】本発明にかかる集水管の水中接続方法の他の実施例を示す要部説明図である。
【図８】従来の接続方法の側面説明図である。
【図９】図８の平面図である。
【符号の説明】
１０              集水管
１０ａ〜１０ｊ    集水管群
１２              集水親管
１４              集水枝管
１６              水底面
２０              継手
２２              上継手ピース
２２ａ            大径半筒部
２２ｂ            小径半筒部
２２ｃ            フランジ部
２４              下継手ピース
２４ａ            大径半筒部
２４ｂ            小径半筒部
２４ｃ            フランジ部
【図１】
0004165081.tif 000002
【図２】
0004165081.tif 000003
【図３】
0004165081.tif 000004
【図４】
0004165081.tif 000005
【図５】
0004165081.tif 000006
【図６】
0004165081.tif 000007
【図７】
0004165081.tif 000008
【図８】
0004165081.tif 000009
【図９】
0004165081.tif 000010